(57)【要約】【課題】撮影・記録・再生モードの起動や切替えを容易に行うことが出来、またモード間の壁を無くし、再生モード中でもモード切替え以外の操作部材の操作（シャッターボタンの押下操作）を行うと、そのまま撮影出来るようになり、再生モードから撮影までの時間を短縮することが出来、更にユーザが好きなときにレンズ鏡筒を沈めることが可能な撮像装置および制御方法の提供。【解決手段】撮影した画像を記録媒体に画像ファイルとして記録する第一のモードと、前記画像ファイルを再生する第二のモードとを有し、異なる操作方法によって各モードへの切替えを行うことができる操作部材を有すると共に、該操作部材は操作を行った後は元の状態に戻り、現在のモードを示す表示部を備えることを特徴とする。【選択図】　　　　図１
2004096686.tif 000002
【特許請求の範囲】
【請求項１】
被写体像を撮像する第一のモードと、記録された画像を再生する第二のモードとを有する撮像装置であって、
第一の位置への操作に応じて前記第一のモードに切替え、第二の位置への操作に応じて前記第二のモードに切替えるための操作部材と、
現在のモードおよび前記操作部材が操作される位置に応じて前記撮像装置に対する制御を変更する制御手段とを有することを特徴とする撮像装置。
【請求項２】
請求項１に記載の撮像装置において、前記制御手段は、前記第二のモード中に、撮影に関する操作部材の操作に応じて、前記第一のモードに移行することを特徴とする撮像装置。
【請求項３】
請求項１に記載の撮像装置において、前記制御手段は、前記撮像装置の電源ＯＦＦの状態において、当該操作部材のモードの切替え操作に応じて電源ＯＮに切替えると共に、前記モード切替え操作において操作された位置に対応したモードで前記撮像装置を起動することを特徴とする撮像装置。
【請求項４】
請求項１に記載の撮像装置において、前記制御手段は、前記第二のモードの状態においてレンズ鏡筒が繰り出している状態の場合、前記操作部材による前記第二の位置への操作に応じて、前記レンズ鏡筒を沈胴させることを特徴とする撮像装置。
【請求項５】
請求項１に記載の撮像装置において、前記制御手段は、前記第一のモードの状態において前記操作部材の前記第一の位置への操作に応じて、第一のモードとは撮影する形式の異なるモードに切替えることを特徴とする撮像装置。
【請求項６】
請求項１に記載の撮像装置において、前記制御手段は、前記第二のモードの状態において前記操作部材の第二の位置への操作に応じて、再生する画像を前記第二のモードとは異なった形式で再生するモードに切替えることを特徴とする撮像装置。
【請求項７】
被写体像を撮像する第一のモードと、記録された画像を再生する第二のモードとを有する撮像装置であって、
第一の位置への操作に応じて前記第一のモードに切替え、第二の位置への操作に応じて前記第二のモードに切替えるための操作部材と、
前記撮像装置の電源がＯＦＦのときに前記操作部材が操作された場合、前記撮像装置の電源をＯＮにすると共に前記操作部材が操作される位置に応じて動作するモードを決定する制御手段とを有することを特徴とする撮像装置。
【請求項８】
第一の位置への操作に応じて被写体像を撮像する第一のモードに切替え、第二の位置への操作に応じて記録された画像を再生する第二のモードに切替えるための操作部材を有する撮像装置の制御方法であって、
現在のモードおよび前記操作部材が操作される位置に応じて前記撮像装置に対する制御を変更する工程を備えることを特徴とする撮像装置の制御方法。
【請求項９】
第一の位置への操作に応じて被写体像を撮像する第一のモードに切替え、第二の位置への操作に応じて記録された画像を再生する第二のモードに切替えるための操作部材を有する撮像装置の制御方法であって、
前記撮像装置の電源がＯＦＦのときに前記操作部材が操作された場合、前記撮像装置の電源をＯＮにすると共に、前記操作部材が操作される位置に応じて動作するモードを決定する工程を備えることを特徴とする撮像装置の制御方法。
【請求項１０】
請求項８または９に記載の撮像装置の制御方法を実行するためのプログラムを格納したことを特徴とする記憶媒体。
【発明の詳細な説明】
【０００１】
【発明の属する技術分野】
本発明は、被写体像を撮像する撮像装置およびその制御方法並びに記憶媒体に関する。
【０００２】
【従来の技術】
従来のデジタルカメラなどの撮像装置では、▲１▼モード切替え操作部材と電源スイッチが別々に存在しており、電源ＯＮ時は電源スイッチの操作とモード切替え操作の両方が必要であった。
【０００３】
また、▲２▼撮影モードから再生モードに切替えた場合、レンズ鏡筒を即座に沈めてしまうように構成されていた。
【０００４】
尚、本発明は、改良した発明の為、先行技術文献情報はありません。
【０００５】
【発明が解決しようとする課題】
然しながら、従来例における▲１▼の場合では、モード切替えと電源ＯＮを一度の操作で行うことが出来なかった。
【０００６】
また、▲２▼の場合では、撮影モードに切替えてから即座に撮影を行うことができなかった。等々の問題があった。
【０００７】
本発明は、上述の状況に鑑みて成されたもので、撮像装置のモードの起動や切替えを容易に行うことが出来、撮影動作を迅速に行うことのできる撮像装置および制御方法並びに記憶媒体を提供することを目的とする。
【０００８】
【課題を解決するための手段】
本発明は、下記構成を備えることにより上記課題を解決できるものである。
【０００９】
（１）被写体像を撮像する第一のモードと、記録された画像を再生する第二のモードとを有する撮像装置であって、第一の位置への操作に応じて前記第一のモードに切替え、第二の位置への操作に応じて前記第二のモードに切替えるための操作部材と、現在のモードおよび前記操作部材が操作される位置に応じて前記撮像装置に対する制御を変更する制御手段とを有する撮像装置。
【００１０】
（２）前項（１）に記載の撮像装置において、前記制御手段は、前記第二のモード中に、撮影に関する操作部材の操作に応じて、前記第一のモードに移行する撮像装置。
【００１１】
（３）前項（１）に記載の撮像装置において、前記制御手段は、前記撮像装置の電源ＯＦＦの状態において、当該操作部材のモードの切替え操作に応じて電源ＯＮに切替えると共に、前記モード切替え操作において操作された位置に対応したモードで前記撮像装置を起動する撮像装置。
【００１２】
（４）前項（１）に記載の撮像装置において、前記制御手段は、前記第二のモードの状態においてレンズ鏡筒が繰り出している状態の場合、前記操作部材による前記第二の位置への操作に応じて、前記レンズ鏡筒を沈胴させる撮像装置。
【００１３】
（５）前項（１）に記載の撮像装置において、前記制御手段は、前記第一のモードの状態において前記操作部材の前記第一の位置への操作に応じて、第一のモードとは撮影する形式の異なるモードに切替える撮像装置。
【００１４】
（６）前項（１）に記載の撮像装置において、前記制御手段は、前記第二のモードの状態において前記操作部材の第二の位置への操作に応じて、再生する画像を前記第二のモードとは異なった形式で再生するモードに切替える撮像装置。
【００１５】
（７）被写体像を撮像する第一のモードと、記録された画像を再生する第二のモードとを有する撮像装置であって、第一の位置への操作に応じて前記第一のモードに切替え、第二の位置への操作に応じて前記第二のモードに切替えるための操作部材と、前記撮像装置の電源がＯＦＦのときに前記操作部材が操作された場合、前記撮像装置の電源をＯＮにすると共に前記操作部材が操作される位置に応じて動作するモードを決定する制御手段とを有する撮像装置。
【００１６】
（８）第一の位置への操作に応じて被写体像を撮像する第一のモードに切替え、第二の位置への操作に応じて記録された画像を再生する第二のモードに切替えるための操作部材を有する撮像装置の制御方法であって、現在のモードおよび前記操作部材が操作される位置に応じて前記撮像装置に対する制御を変更する工程を備える撮像装置の制御方法。
【００１７】
（９）第一の位置への操作に応じて被写体像を撮像する第一のモードに切替え、第二の位置への操作に応じて記録された画像を再生する第二のモードに切替えるための操作部材を有する撮像装置の制御方法であって、前記撮像装置の電源がＯＦＦのときに前記操作部材が操作された場合、前記撮像装置の電源をＯＮにすると共に、前記操作部材が操作される位置に応じて動作するモードを決定する工程を備える撮像装置の制御方法。
【００１８】
（１０）前項（８）または（９）に記載の撮像装置の制御方法を実行するためのプログラムを格納した記憶媒体。
【００１９】
【発明の実施の形態】
以下、本発明に係る撮像装置の実施の形態について説明する。
【００２０】
図１は、本発明に係る撮像装置としてのデジタルカメラの要部構成を示すブロック図、図２は、本発明に係る撮像装置の背面から見た模式的外観斜視図、図３は、本発明に係る撮像装置の正面から見た模式的外観斜視図、（ａ）は、鏡筒を沈めた状態、（ｂ）は、鏡筒を繰り出した状態、図４は、モード切替えレバー、電源操作ボタン、およびカラーＬＥＤの動作状態を示す説明図、（ａ）は、モード切替え前の電源ＯＦＦ、カラーＬＥＤ無灯の状態、（ｂ）は、撮影モード・電源ＯＮ、カラーＬＥＤ赤色点灯の状態、（ｃ）は、再生モード・電源ＯＮ、カラーＬＥＤ青色点灯の状態、図５は、モード切替えレバーおよび電源操作ボタンの操作、シャッターボタン操作による処理手順を示すフローチャート、図６は、モード切替えレバーを再生モード方向へ回した場合の処理手順を示すフローチャート、図７は、モード切替えレバーを撮影モード方向へ回した場合の処理手順を示すフローチャート、図８は、電源操作ボタンをＯＦＦにした場合の処理手順を示すフローチャート、図９は、シャッターボタンを押下した場合の処理手順を示すフローチャート、図１０は、モード切替えレバー操作によるモード切替え処理手順を示すフローチャートである。
【００２１】
（第１の実施例）
以下第１の実施例について、図面を参照して説明する。
【００２２】
図１は、本発明に係る撮像装置の要部構成を示すブロック図である。
【００２３】
図１において、１００は画像処理装置である。
【００２４】
１０は、撮影レンズ、１２は絞り機能を備えたシャッター、１４は光学像を電気信号に変換する撮像素子、１６は撮像素子１４のアナログ信号出力をディジタル信号に変換するＡ／Ｄ変換器である。
【００２５】
１８は、撮像素子１４、Ａ／Ｄ変換器１６、Ｄ／Ａ変換器２６にクロック信号や制御信号を供給するタイミング発生回路であり、メモリ制御回路２２およびシステム制御回路５０により制御される。
【００２６】
２０は、画像処理回路であり、Ａ／Ｄ変換器１６からのデータ或いはメモリ制御回路２２からのデータに対して所定の画素補間処理や色変換処理を行う。
【００２７】
また、画像処理回路２０は、撮像した画像データを用いて所定の演算処理を行い、得られた演算結果に基づいてシステム制御回路５０が露光制御手段４０、測距制御手段４２に対して、ＴＴＬ（スルー・ザ・レンズ）方式のＡＦ（オートフォーカス）処理、ＡＥ（自動露出）処理、ＥＦ（フラッシュプリ発光）処理等の制御を行う。
【００２８】
さらに、画像処理回路２０では、撮像した画像データを用いて所定の演算処理を行い、得られた演算結果に基づいてＴＴＬ方式のＡＷＢ（オートホワイトバランス）処理も行っている。
【００２９】
２２は、メモリ制御回路であり、Ａ／Ｄ変換器１６、タイミング発生回路１８、画像処理回路２０、画像表示メモリ２４、Ｄ／Ａ変換器２６、メモリ３０、圧縮・伸長回路３２を制御する。
【００３０】
Ａ／Ｄ変換器１６のデータが画像処理回路２０、メモリ制御回路２２を介して、或いはＡ／Ｄ変換器１６のデータが直接メモリ制御回路２２を介して、画像表示メモリ２４或いはメモリ３０に書き込まれる。
【００３１】
２４は、画像表示メモリ、２６はＤ／Ａ変換器、２８はＴＦＴ　ＬＣＤ等から成る画像表示部であり、画像表示メモリ２４に書き込まれた表示用の画像データはＤ／Ａ変換器２６を介して画像表示部２８により表示される。
【００３２】
画像表示部２８を用いて撮像した画像データを逐次表示すれば、電子ファインダー機能を実現することが可能である。
【００３３】
また、画像表示部２８は、システム制御回路５０の指示により任意に表示をＯＮ／ＯＦＦすることが可能であり、表示をＯＦＦにした場合には画像処理装置１００の電力消費を大幅に低減することが出来る。
【００３４】
３０は、撮影した静止画像や動画像を格納するためのメモリであり、所定枚数の静止画像や所定時間の動画像を格納するのに十分な記憶容量を備えている。
【００３５】
これにより、複数枚の静止画像を連続して撮影する連射撮影やパノラマ撮影の場合にも、高速かつ大量の画像書き込みをメモリ３０に対して行うことが可能となる。
【００３６】
また、メモリ３０は、システム制御回路５０の作業領域としても使用することが可能である。
【００３７】
３２は、適応離散コサイン変換（ＡＤＣＴ）等により画像データを圧縮伸長する圧縮・伸長回路であり、メモリ３０に格納された画像を読み込んで圧縮処理或いは伸長処理を行い、処理を終えたデータをメモリ３０に書き込む。
【００３８】
４０は、絞り機能を備えるシャッター１２を制御する露光制御手段であり、フラッシュ４８と連携することによりフラッシュ調光機能も有するものである。
【００３９】
４２は、撮影レンズ１０のフォーカシングを制御する測距制御手段、４４は撮影レンズ１０のズーミングを制御するズーム制御手段、４６はバリアである保護手段１０２の動作を制御するバリア制御手段である。
【００４０】
４８は、フラッシュであり、ＡＦ補助光の投光機能、フラッシュ調光機能も有する。
【００４１】
露光制御手段４０、測距制御手段４２は、ＴＴＬ方式を用いて制御されており、撮像した画像データを画像処理回路２０によって演算した演算結果に基づき、システム制御回路５０が露光制御手段４０、測距制御手段４２に対して制御を行う。
【００４２】
５０は、画像処理装置１００全体を制御するシステム制御回路、５２はシステム制御回路５０の動作用の定数、変数、プログラム等を記憶するメモリである。
【００４３】
５４は、システム制御回路５０でのプログラムの実行に応じて、文字、画像、音声等を用いて動作状態やメッセージ等を表示する液晶表示装置、スピーカー等の通知部であり、画像処理装置１００の操作部近辺の視認し易い位置に単数或いは複数個所設置され、例えばＬＣＤやＬＥＤ、発音素子等の組み合わせにより構成されている。
【００４４】
また、通知部５４は、その一部の機能が光学ファインダー１０４内に設置されている。
【００４５】
通知部５４の表示内容のうち、ＬＣＤ等に表示するものとしては、シングルショット／連写撮影表示、セルフタイマー表示、圧縮率表示、記録画素数表示、記録枚数表示、残撮影可能枚数表示、シャッタースピード表示、絞り値表示、露出補正表示、フラッシュ表示、赤目緩和表示、マクロ撮影表示、ブザー設定表示、時計用電池残量表示、電池残量表示、エラー表示、複数桁の数字による情報表示、記録媒体２００および２１０の着脱状態表示、通信Ｉ／Ｆ動作表示、日付け・時刻表示、等がある。
【００４６】
また、通知部５４の表示内容のうち、光学ファインダー１０４内に表示するものとしては、合焦表示、手振れ警告表示、フラッシュ充電表示、シャッタースピード表示、絞り値表示、露出補正表示、等がある。
【００４７】
５６は電気的に消去／記録可能な不揮発性メモリであり、例えばＥＥＰＲＯＭ等が用いられる。
【００４８】
６０、６２、６４、６６、６８および７０は、システム制御回路５０の各種の動作指示を入力するための操作手段であり、スイッチやダイアル、タッチパネル、視線検知によるポインティング、音声認識装置等の単数或いは複数の組み合わせで構成される。
【００４９】
ここで、これらの操作手段の具体的な説明を行う。
【００５０】
６０は、モード切替／電源操作部で、電源のＯＮ／ＯＦＦや、自動撮影モード、撮影モード、パノラマ撮影モード、再生モード、マルチ画面再生・消去モード、ＰＣ接続モード等の各機能モードを切替え設定することが出来る。
【００５１】
６２はシャッタースイッチＳＷ１で、不図示のシャッターボタンの操作途中でＯＮとなり、ＡＦ（オートフォーカス）処理、ＡＥ（自動露出）処理、ＡＷＢ（オートホワイトバランス）処理、ＥＦ（フラッシュプリ発光）処理等の動作開始を指示する。
【００５２】
６４はシャッタースイッチＳＷ２で、不図示のシャッターボタンの操作完了でＯＮとなり、撮像素子１２から読み出した信号をＡ／Ｄ変換器１６、メモリ制御回路２２を介してメモリ３０に画像データを書き込む露光処理、画像処理回路２０やメモリ制御回路２２での演算を用いた現像処理、メモリ３０から画像データを読み出し、圧縮・伸長回路３２で圧縮を行い、記録媒体２００或いは２１０に画像データを書き込む記録処理という一連の処理の動作開始を指示する。
【００５３】
６６は画像表示ＯＮ／ＯＦＦスイッチで、画像表示部２８のＯＮ／ＯＦＦを設定することが出来る。
【００５４】
この機能により、光学ファインダー１０４を用いて撮影を行う際に、ＴＦＴ　ＬＣＤ等から成る画像表示部への電流供給を遮断することにより、省電力を図ることが可能となる。
【００５５】
６８はクイックレビューＯＮ／ＯＦＦスイッチで、撮影直後に撮影した画像データを自動再生するクイックレビュー機能を設定する。なお、本実施例では特に、画像表示部２８をＯＦＦとした場合におけるクイックレビュー機能の設定をする機能を備えるものとする。
【００５６】
７０は各種ボタンやタッチパネル等からなる操作部で、メニューボタン、セットボタン、マクロボタン、マルチ画面再生改ページボタン、フラッシュ設定ボタン、単写／連写／セルフタイマー切替えボタン、メニュー移動＋（プラス）ボタン、メニュー移動−（マイナス）ボタン、再生画像移動＋（プラス）ボタン、再生画像−（マイナス）ボタン、撮影画質選択ボタン、露出補正ボタン、日付／時間設定ボタン、画像削除ボタン、画像削除取消しボタン等がある。
【００５７】
８０は電源制御手段で、電池検出回路、ＤＣ−ＤＣコンバータ、通電するブロックを切替えるスイッチ回路等により構成されており、電池の装着の有無、電池の種類、電池残量の検出を行い、検出結果およびシステム制御回路５０の指示に基づいてＤＣ−ＤＣコンバータを制御し、必要な電圧を必要な期間、記録媒体を含む各部へ供給する。
【００５８】
８２はコネクタ、８４はコネクタ、８６はアルカリ電池やリチウム電池等の一次電池やＮｉＣｄ電池やＮｉＭＨ電池、Ｌｉ電池等の二次電池、ＡＣアダプター等からなる電源手段である。
【００５９】
９０および９４はメモリカードやハードディスク等の記録媒体とのインターフェース、９２および９６はメモリカードやハードディスク等の記録媒体と接続を行うコネクタ、９８はコネクタ９２およびまたは９６に記録媒体２００或いは２１０が装着されているか否かを検知する記録媒体着脱検知手段である。
【００６０】
なお、本実施例では記録媒体を取り付けるインターフェースおよびコネクタを２系統持つものとして説明している。もちろん、記録媒体を取り付けるインターフェースおよびコネクタは、単数或いは複数、いずれの系統数を備える構成としても構わない。また、異なる規格のインターフェースおよびコネクタを組み合わせて備える構成としても構わない。
【００６１】
インターフェースおよびコネクタとしては、ＰＣＭＣＩＡカードやＣＦ（コンパクトフラッシュ（Ｒ））カード等の規格に準拠したものを用いて構成して構わない。
【００６２】
更に、インターフェース９０および９４、そしてコネクタ９２および９６をＰＣＭＣＩＡカードやＣＦ（コンパクトフラッシュ（Ｒ））カード等の規格に準拠したものを用いて構成した場合、ＬＡＮカードやモデムカード、ＵＳＢカード、ＩＥＥＥ１３９４カード、Ｐ１２８４カード、ＳＣＳＩカード、ＰＨＳ等の通信カード、等の各種通信カードを接続することにより、他のコンピュータやプリンタ等の周辺機器との間で画像データや画像データに付属した管理情報を転送し合うことが出来る。
【００６３】
１０２は、画像処理装置１００のレンズ１０を含む撮像部を覆う事により、撮像部の汚れや破損を防止するバリアである保護手段である。
【００６４】
１０４は光学ファインダーであり、画像表示部２８による電子ファインダー機能を使用すること無しに、光学ファインダーのみを用いて撮影を行うことが可能である。また、光学ファインダー１０４内には、通知部５４の一部の機能、例えば、合焦表示、手振れ警告表示、フラッシュ充電表示、シャッタースピード表示、絞り値表示、露出補正表示などが設置されている。
【００６５】
１１０は通信手段で、ＲＳ２３２ＣやＵＳＢ、ＩＥＥＥ１３９４、Ｐ１２８４、ＳＣＳＩ、モデム、ＬＡＮ、無線通信、等の各種通信機能を有する。
【００６６】
１１２は通信手段１１０により画像処理装置１００を他の機器と接続するコネクタ或いは無線通信の場合はアンテナである。
【００６７】
２００はメモリカードやハードディスク等の記録媒体である。
記録媒体２００は、半導体メモリや磁気ディスク等から構成される記録部２０２、画像処理装置１００とのインターフェース２０４、画像処理装置１００と接続を行うコネクタ２０６を備えている。
【００６８】
２１０はメモリカードやハードディスク等の記録媒体である。
記録媒体２１０は、半導体メモリや磁気ディスク等から構成される記録部２１２、画像処理装置１００とのインターフェース２１４、画像処理装置１００と接続を行うコネクタ２１６を備えている。
【００６９】
図２は、本発明に係る撮像装置の背面から見た模式的外観斜視図である。
【００７０】
図２において、２−１（図１のモード切替／電源操作部６０に相当する）はモード切替えレバーおよび電源操作ボタンで、再生モードや撮影モードなどのモード切替えや電源ＯＮ／ＯＦＦを行うための操作部材である。２−２はシャッターボタン（図１のシャッタースイッチ６２，６４に相当する）で、撮影に用いるボタンである。カメラの撮影画像は画像表示部２８に表示されるが、これは通常ＬＣＤ（液晶ディスプレイ）を使用しているので、図２においてはＬＣＤ２−３とする。静止画像および／または動画像を再生する場合は、このＬＣＤ２−３に表示される。
【００７１】
ＳＥＴボタン２−４、左右ボタン２−５、およびＭＥＮＵボタン２−６は、撮影モードで撮影パラメタの変更や、再生モードで画像の閲覧などで使用されるボタンである。
【００７２】
図３は、本発明に係る撮像装置の正面から見た模式的外観斜視図である。
【００７３】
図３において、３−１は、撮影レンズを保持するレンズ鏡筒（または、鏡筒）である。電源ＯＦＦなどには鏡筒を沈めた状態（ａ）だが、撮影を行うときは（ｂ）で示すように、鏡筒を繰り出す。
【００７４】
図４は、モード切替えレバー、電源操作ボタン、およびカラーＬＥＤの動作状態を示す説明図であり、（ａ）は、モード切替え前の電源ＯＦＦ、カラーＬＥＤ無灯の状態、（ｂ）は、撮影モード・電源ＯＮ、カラーＬＥＤ赤色点灯の状態、（ｃ）は、再生モード・電源ＯＮ、カラーＬＥＤ青色点灯の状態を示している。
【００７５】
図４において、４−１は、モードを変更するためのモード切替えレバーで、通常は（ａ）の位置にあり、左側のキャラクタが描かれている位置まで回すと（ｂ）、被写体像を撮影するための撮影モードにデジタルカメラの動作モードを移行し、右側のキャラクタが描かれている位置まで回すと（ｃ）、記録媒体２００または２１０に記録された画像を再生するための再生モードにデジタルカメラのモードを移行する。操作部材４−１は、不図示のバネの付勢により、操作者が操作しない限り左右のキャラクタの中間位置（ａ）に抑止されている。そのため、モード切替えレバー４−１は、操作者によって左右の位置まで回された後、中間位置（ａ）に戻る。更に、モード切替えレバー４−１は、デジタルカメラの電源をＯＮするスイッチも兼ねており、電源ＯＦＦの状態から、モード切替えレバーを左或いは右に回すと、電源ＯＮとなり、回した位置に対応するモード（撮影モード或いは再生モード）で起動する。４−２は電源ＯＦＦのための電源ＯＦＦボタンで、この電源ＯＦＦボタン４−２を押すことで、撮影モードや再生モードに拘らず、電源がＯＦＦとなる。４−３はカラーＬＥＤで、現在の状態を示す。無灯時は電源ＯＦＦを、赤色点灯時は撮影モードを、青色点灯時は再生モードを示す。
【００７６】
図５は、モード切替えレバーおよび電源操作ボタンの操作、シャッターボタン操作による処理手順を示すフローチャートであり、図６は、モード切替えレバーを再生モード方向へ回した場合の処理手順を示すフローチャートであり、図７は、モード切替えレバーを撮影モード方向へ回した場合の処理手順を示すフローチャートであり、図８は、電源操作ボタンをＯＦＦにした場合の処理手順を示すフローチャートであり、図９は、シャッターボタンを押下した場合の処理手順を示すフローチャートである。なお、図５〜９はシステム制御回路５０において処理される。
【００７７】
図５、６、７、８および図９において、モード切替えレバー４−１を右の再生方向へ回した場合（Ｓ５０１）、現在の状態が電源ＯＦＦ状態ならば（図６のＳ６０１）、再生モードとして起動する（Ｓ６０２）。現在の状態が再生モードだった場合（Ｓ６０３）、且つレンズ鏡筒が繰り出している場合は（Ｓ６０４）、レンズ鏡筒を沈胴させ、再生モードにおける操作性を高める（Ｓ６０５）。一方、現在撮影モードだった場合は（Ｓ６０６）、再生モードに移るが、再度すぐに撮影する可能性があるのでレンズ鏡筒は沈めないように制御する（Ｓ６０７）。
【００７８】
モード切替えレバーを左の撮影方向へ回した場合（Ｓ５０２）、現在の状態が電源ＯＦＦ状態ならば（Ｓ７０１）、撮影モードで起動する（Ｓ７０２）。現在の状態が再生モードだった場合で（Ｓ７０３）、鏡筒が繰り出していない場合は（Ｓ７０４）、レンズ鏡筒を繰り出して（Ｓ７０５）、撮影モードに移る（Ｓ７０６）。
【００７９】
電源ＯＦＦボタン４−２を押した場合（Ｓ５０３）、現在の状態が撮影モードであっても（Ｓ８０１）、再生モードであっても（Ｓ８０２）、レンズ鏡筒が繰り出していれば（Ｓ８０３）レンズ鏡筒を沈胴させ（Ｓ８０４）、電源ＯＦＦとなる（Ｓ８０５）。
【００８０】
シャッターボタン２−２を押下した場合（Ｓ５０４）、現在の状態が撮影モードであれば（Ｓ９０１）、そのまま撮影を行う（Ｓ９０６）が、現在の状態が再生モードだった場合（Ｓ９０２）、鏡筒が繰り出していなければ（Ｓ９０３）、鏡筒を繰り出し（Ｓ９０４）、撮影モードに移り（Ｓ９０５）、撮影を行う（Ｓ９０６）。
【００８１】
以上説明したように、現在のモードおよびモード切替えレバー４−１の位置に応じて撮像装置に対する制御を変更しているため、使用者は各モードに対する適切な操作を迅速に行うことができる。
【００８２】
具体的には、モード切替えレバーの一度の操作で、電源ＯＦＦの状態から、起動したいモード（再生或いは撮影モード）で起動することが可能となり、従来電源操作とモード操作を別々に行っていたのに比べ、起動時のモードの選択操作を短縮することが可能となる。
【００８３】
また、モード切替えレバーは、モードを切替えた後で元の位置に戻るため、モード位置を特定するものではなく、再生モードでシャッターボタンを押すなどの操作で、再生モードから撮影モードへ移行し、モードに依存しない制御が可能となる。再生モードからモード切替えを行わずにシャッターボタンを押してそのまま撮影を行うので、再生モードから実際に撮影を行うための時間を短縮することが可能となり、顕著な効果を奏する。
【００８４】
また、利用者は再生モードに入るときに、直ぐに撮影したい場合は、鏡筒を出したままにして次回の撮影に備えることが可能となり、再生モードで出ている鏡筒が邪魔だと思えば鏡筒を沈めることができ、利用者は好きなときに鏡筒を沈めることが可能となり、操作性が向上し、且つ、鏡筒を沈めるための専用の部材を設けることなく実現できる。
【００８５】
（第２の実施例）
撮影モードには、静止画撮影と動画撮影の２つの撮影モードを持ち、また、再生モードにはＬＣＤ２−３に１つの画像だけを再生表示するシングル再生モードと、複数の画像を一度に再生表示するマルチ画像再生モードという２つの再生モードを持つこともあり得る。
【００８６】
図１０は、モード切替えレバー操作によるモード切替え処理手順を示すフローチャートである。その他の構成は第１の実施例と同様である。
【００８７】
図１０において、モード切替えレバー４−１を左側の撮影モードのキャラクタ位置へ回した場合で（Ｓ１００１）、且つ、現在静止画撮影モードである場合は（Ｓ１００２）、動画撮影モードへと切替える（Ｓ１００３）。一方、現在再生モードである場合は（Ｓ１００４）、静止画撮影モードへと切替える（Ｓ１００５）。
【００８８】
また、モード切替えレバー４−１を右側の再生モードのキャラクタ位置へ回した場合で（Ｓ１００６）、現在１枚ごとに画像を再生するシングル再生モードである場合は（Ｓ１００７）、マルチ画像再生モードへ切替える（Ｓ１００８）。一方、現在撮影モードである場合は（Ｓ１００９）、シングル再生モードへ切替える（Ｓ１０１０）。
【００８９】
また、撮影モード時に、モード切替えレバーを再度撮影モード方向へ回すことにより、動画やパノラマ画像等のような異なった撮影条件やファイル形式で記録する撮影モードに移行することが出来る。
【００９０】
また、再生モード時に、モード切替えレバーを再度再生モード方向へ回すことにより、マルチ画像表示等のような異なった形式で再生する撮影モードに移行することが出来る。
【００９１】
なお、第１、第２の実施例では、モード切替えレバーを再生モードあるいは撮影モード方向へ回すということで、モードの切替えを行ったが、同様のモード切替えをボタンを軽く押した状態と、ボタンを長押しした状態として実現することも可能である。
【００９２】
【発明の効果】
以上説明したように、本発明では、現在のモードおよびモードを切替える操作部材の操作された位置に応じて撮像装置に対する制御を変更しているため、使用者は各モードに対する適切な操作を迅速に行うことができる。
【００９３】
そして、操作部材の操作が現在のモードによって移行する次のモードが決まることにより、少ない操作部材で、複数のモードを表現することが可能となった。
【図面の簡単な説明】
【図１】本発明に係る撮像装置の要部構成を示すブロック図
【図２】本発明に係る撮像装置の背面から見た模式的外観斜視図
【図３】本発明に係る撮像装置の正面から見た模式的外観斜視図、（ａ）鏡筒を沈めた状態、（ｂ）鏡筒を繰り出した状態
【図４】モード切替えレバー、電源操作ボタン、およびカラーＬＥＤの動作状態を示す説明図、（ａ）モード切替え前の電源ＯＦＦ、カラーＬＥＤ無灯の状態、（ｂ）撮影モード・電源ＯＮ、カラーＬＥＤ赤色点灯の状態、（ｃ）再生モード・電源ＯＮ、カラーＬＥＤ青色点灯の状態
【図５】モード切替えレバーおよび電源操作ボタンの操作、シャッターボタン操作による処理手順を示すフローチャート
【図６】モード切替えレバーを再生モード方向へ回した場合の処理手順を示すフローチャート
【図７】モード切替えレバーを撮影モード方向へ回した場合の処理手順を示すフローチャート
【図８】電源ＯＦＦボタンを押下した場合の処理手順を示すフローチャート
【図９】シャッターボタンを押下した場合の処理手順を示すフローチャート
【図１０】モード切替えレバー操作によるモード切替え処理手順を示すフローチャート
【符号の説明】
１０　撮影レンズ
１２　シャッター
１４　撮像素子
１６　Ａ／Ｄ変換器
１８　タイミング発生回路
２０　画像処理回路
２２　メモリ制御回路
２４　画像表示メモリ
２６　Ｄ／Ａ変換器
２８　画像表示部
３０　メモリ
３２　画像圧縮・伸長回路
４０　露光制御手段
４２　測距制御手段
４４　ズーム制御手段
４６　バリア制御手段
４８　フラッシュ
５０　システム制御回路
５２　メモリ
５４　表示部
５６　不揮発性メモリ
６０　モード切替／電源操作部
６２　シャッタースイッチＳＷ１
６４　シャッタースイッチＳＷ２
６６　画像表示ＯＮ／ＯＦＦスイッチ
６８　クイックレビューＯＮ／ＯＦＦスイッチ
７０　操作部
８０　電源制御手段
８２、８４　コネクタ
８６　電源手段
９０、９４　インターフェース（Ｉ／Ｆ）
９２、９６　コネクタ
９８　記録媒体着脱検知手段
１００　画像処理装置
１０２　保護手段
１０４　光学ファインダ
１１０　通信手段
１１２　コネクタ（またはアンテナ）
２００、２１０　記録媒体
２０２、２１２　記録部
２０４、２１４　インターフェース（Ｉ／Ｆ）
２０６、２１６　コネクタ
２−１　モード切替えレバーおよび電源操作ボタン
２−２　シャッターボタン
２−３　ＬＣＤ
２−４　ＳＥＴボタン
２−５　左右ボタン
２−６　ＭＥＮＵボタン
３−１　鏡筒（レンズ鏡筒）
４−１　モード切替えレバー
４−２　電源ＯＦＦボタン
４−３　カラーＬＥＤ
【図１】
2004096686.tif 000003
【図２】
2004096686.tif 000004
【図３】
2004096686.tif 000005
【図４】
2004096686.tif 000006
【図５】
2004096686.tif 000007
【図６】
2004096686.tif 000008
【図７】
2004096686.tif 000009
【図８】
2004096686.tif 000010
【図９】
2004096686.tif 000011
【図１０】
2004096686.tif 000012